【事件の表示】
　特許第３２８９８７７号「薄葉紙の品質改良剤及びそれを用いた柔軟性薄葉紙、並びにその製造方法」の請求項１ないし６に係る特許に対する特許異議の申立てについて、次のとおり決定する。
【結　論】
　訂正を認める。
　特許第３２８９８７７号の請求項１ないし６に係る特許を維持する。
【理　由】
Ｉ．手続の経緯
　本件特許第３２８９８７７号は、平成８年５月７日に出願され、平成１４年３月２２日に、その特許の設定登録がなされたもので、その後、特許異議申立人　河野製紙株式会社より特許異議の申立があり、取消理由通知がなされ、その指定期間内の平成１６年９月２７日付で意見書が提出されると共に訂正請求がなされ、平成１６年１１月１８日に取消理由通知がなされ、その指定期間内の平成１７年１月２８日付で意見書が提出されると共に訂正請求がなされ、平成１６年９月２７日付の訂正請求は取り下げられたものである。
ＩＩ．訂正の内容
　平成１７年１月２８日付訂正請求における訂正の内容は、次のとおりである。
　訂正事項（１）特許請求の範囲の請求項１及び２を、下記の如く訂正する。
「【請求項１】（１）親油性成分として植物油、動物油、鉱物油もしくは合成油から選ばれる１種または２種以上の成分と、（２）親水性成分としてベタイン構造物を重量組成比率で（１）：（２）＝１：１／２〜５／２の範囲で含む品質改良剤の水溶解液を水分２０％以下の薄葉紙ウェブに塗布し、秤量１０〜４０ｇ／ｍ２の薄葉紙ウェブに該薄葉紙ウェブの乾燥重量に対して上記の品質改良剤を０．１〜１０重量％含有させたことを特徴とするしなやかさ、しっとり感および平滑感を有するティシュペーパー、トイレットペーパーまたは紙タオル。
【請求項２】　品質改良剤が（１）親油性成分として植物油、動物油、鉱物油もしくは合成油から選ばれる１種または２種以上の成分と、（２）親水性成分としてベタイン構造物と、（３）Ｃ８〜Ｃ２４の脂肪族基を有するポリグリセリン脂肪酸エステル、Ｃ８〜Ｃ２４の脂肪族基を有するアンモニウム塩もしくはアミン塩から選ばれる１種または２種以上の成分を重量組成比で（１）＋（３）：（２）＝１：１／２〜３／２の範囲で含むものである請求項１記載のしなやかさ、しっとり感および平滑感を有するティシュペーパー、トイレットペーパーまたは紙タオル。」（決定注：表記の都合上、証拠の摘示記載において、丸囲い数字は、括弧内数字として記載した。以下、同様。）
ＩＩＩ．訂正の適否についての判断
１．訂正の目的の適否、新規事項の追加の有無、及び特許請求の範囲の拡張又は変更の有無
　親水性成分について、訂正前の請求項１、２の記載では「多価アルコールもしくはベタイン構造物の１種または２種以上の成分」と規定していたのを、「ベタイン構造物」にのみ限定するものであるから、請求項１、２の訂正は、特許請求の範囲の減縮を目的とするものに該当する。
　そして、上記訂正は、特許明細書に記載した事項の範囲内の訂正であり、新規事項を追加するものでもないし、実質上特許請求の範囲を拡張しまたは変更するものでもない。
　以上のとおりであるから、上記訂正は、特許法第１２０条の４第２項及び同条第３項において準用する特許法第１２６条第２項〜同条第４項の規定に適合するので、当該訂正を認める。
ＩＶ．特許異議申立について
１．本件請求項１〜６係る発明
　訂正は認められるから、本件請求項１〜６に係る発明は、平成１７年１月２８日付訂正請求書に添付された訂正明細書の特許請求の範囲の請求項１〜６に記載された次のとおりのものである。
 「【請求項１】（１）親油性成分として植物油、動物油、鉱物油もしくは合成油から選ばれる１種または２種以上の成分と、（２）親水性成分としてベタイン構造物を重量組成比率で（１）：（２）＝１：１／２〜５／２の範囲で含む品質改良剤の水溶解液を水分２０％以下の薄葉紙ウェブに塗布し、秤量１０〜４０ｇ／ｍ２の薄葉紙ウェブに該薄葉紙ウェブの乾燥重量に対して上記の品質改良剤を０．１〜１０重量％含有させたことを特徴とするしなやかさ、しっとり感および平滑感を有するティシュペーパー、トイレットペーパーまたは紙タオル。
【請求項２】　品質改良剤が（１）親油性成分として植物油、動物油、鉱物油もしくは合成油から選ばれる１種または２種以上の成分と、（２）親水性成分としてベタイン構造物の１種または２種以上の成分と、（３）Ｃ８〜Ｃ２４の脂肪族基を有するポリグリセリン脂肪酸エステル、Ｃ８〜Ｃ２４の脂肪族基を有するアンモニウム塩もしくはアミン塩から選ばれる１種または２種以上の成分を重量組成比で（１）＋（３）：（２）＝１：１／２〜３／２の範囲で含むものである請求項１記載のしなやかさ、しっとり感および平滑感を有するティシュペーパー、トイレットペーパーまたは紙タオル。
【請求項３】　親油性成分がホホバ油、スクワラン、パラフィン、シリコーン油、ミリスチン酸エステル、または数平均分子量が３００から２０００のポリオブテンである請求項１または２記載のティシュペーパー、トイレットペーパーまたは紙タオル。
【請求項４】　ベタイン構造物がグリシンベタインまたはγ−ブチロベタインである請求項１から３までのいずれか１項記載のティシュペーパー、トイレットペーパーまたは紙タオル。
【請求項５】　請求項１記載の品質改良剤の水溶解液を粘度２０ｍＰａ．ｓ（２０ｃｐｓ）以下にして、抄紙工程のウェブ形成後の水分率が２０％以下の薄葉紙ウェブにスプレー塗布するか、あるいは品質改良剤の水溶解液を粘度２００ｍＰａ．ｓ（２０００ｃｐｓ）以下にして、予め抄紙機で抄造したウェブに二次工程でコーターまたは印刷機により塗布することを特徴とするティシュペーパー、トイレットペーパーまたは紙タオルの製造方法。
【請求項６】　品質改良剤の溶解液を塗布するウェブに一時性湿潤紙力増強剤を含ませることを特徴とする請求項５記載のトイレットペーパーの製造方法。」
２．特許異議申立の理由の概要
　特許異議申立人　河野製紙株式会社は、甲第１号証（特開平５−１５６５９６号公報）、甲第２号証（特開平７−８２６６２号公報）、甲第３号証（特開平７−１０９６９４号公報）、甲第４号証（特開平７−１８９１７０号公報）、甲第５号証（ＪＩＳ　Ｓ　３１０４−１９９２、第４７６〜４７８頁）、甲第６号証（ＪＩＳ　Ｐ　４５０１−１９９３、第４６５〜４６６頁）甲第７号証（「ティシュペーパーの測定値」と題した平成７年１０月９日付の文書）、甲第８号証（ＪＩＳ　Ｐ　８１２７−１９７９、第２４８頁）、甲第９号証（化学大辞典編集委員会編「化学大辞典８」第３１９〜３２０頁、１９９３年６月１日、共立出版株式会社）、甲第１０号証（特開平７−１０９６９３号公報）、甲第１１号証（紙と加工の薬品辞典編集委員会編「紙と加工の薬品辞典」第１１０〜１１１頁、平成３年２月２５日発行）及び甲第１２号証（「化学辞典（普及版）」第６０６頁、１９９３年１０月３０日、森北出版株式会社）を提出して、（１）請求項１〜６に係る発明は、本件特許の出願前に頒布された刊行物である甲第１号証〜甲第１２号証に記載された発明に基づいて、当業者が容易に発明をすることができたものであり、特許法第２９条第２項の規定により特許を受けることができないものであるから、その特許は取消されるべきである、旨主張する。
３．甲各号証の記載
ａ．甲第１号証
　高水分含有性を有する繊維ウエブ及びその製造方法に関して、次の記載がなされている。
ａ−１．「【請求項１】吸湿性を有する塩類，多価アルコール及び糖類のうちの少なくとも一種、または、吸湿性を有する塩類，多価アルコール及び糖類のうちの少なくとも一種及び保水性を有する糊料を、繊維ウェブに対し１．０〜３００重量％含んでなることを特徴とする高水分含有性を有する繊維ウェブ。
【請求項２】吸湿性を有する塩類，多価アルコール及び糖類、保水性を有する糊料が食品または食品添加物であることを特徴とする請求項１記載の高水分含有性を有する繊維ウェブ。
【請求項３】吸湿性を有する塩類，多価アルコール及び糖類、保水性を有する糊料を、繊維ウェブを抄造する際に繊維ウェブ形成後、乾燥前の湿潤状態で含有させることを特徴とする請求項１または２記載の高水分含有性を有する繊維ウェブの製造方法。
【請求項４】繊維ウェブを抄造した後、このウェブに、吸湿性を有する塩類，多価アルコール及び糖類、保水性を有する糊料を含浸させることを特徴とする請求項１または２記載の高水分含有性を有する繊維ウェブの製造方法。」（特許請求の範囲請求項１〜４）
ａ−２．「本発明は、高水分含有性を有する紙，不織布等の繊維ウェブ及びその製造方法に関し、特に、安全性が高く、柔軟で肌触りに優れ、かつウェブ屑発生の少ない、食品用，衛生用，家庭用の用途に好適な高水分含有性を有する繊維ウェブ及びその製造方法に関する。」（段落【０００１】）
ａ−３．「ティシュペーパーやトイレットペーパー等の家庭紙、その他の繊維ウェブにおいては、従来から、感触をソフトにする等の目的のために、柔軟剤が使用される。この柔軟剤は、湿潤紙力増強剤（紙が濡れたときの強度を保つ薬剤）の可塑剤として作用するほか、次のような作用を発現する。
　親水性基と親油性基とを持ち、親水性基がセルロースに吸着し、親油性基が外側に向いて配向する。従って、セルロースは、親油性基で包まれた状態となり、しなやかになると同時に、表面が平滑になる。そして、セルロース間の滑りが良好となり、抵抗が少なくなって、手触りが滑らかになり柔らかくなる。しかも、繊維の水素結合を封鎖し、繊維のズレを促進して柔らかくする。」（段落【０００２】〜【０００３】）
ａ−４．「上記の柔軟剤としては、従来、界面活性剤，ワックスエマルジョン（ワックスを界面活性剤で乳化させたもので、ワックスが上記の親油性基の役割をなす），反応型柔軟剤（セルロースと強固に反応して、脂肪族ハイドロカーボンを規則正しく繊維の周囲に配向させるもの）が知られている。また、最近、ティシュペーパーに、ソフトでシルキーなフランネル様の感触を持たせると共に、高いバルク性をも持たせるために、シリコン系の柔軟剤も開発されている（特開平２−２２４６２６号，同３−９００号公報参照）。」（段落【０００５】）
ａ−５．「また、吸湿性を有する多価アルコール及び糖類としては、グリセリン，Ｄ−ソルビット，マルチトール，還元麦芽糖水飴，還元澱粉加水分解物等が挙げられる。」（段落【００１４】）
ａ−６．「上記の吸湿性を有する塩類，多価アルコール及び糖類、保水性を有する糊料は、いずれも本発明の繊維ウェブに、吸湿性，柔軟性，肌触り性等を付与し、もしくは向上させる作用をなすものであり（従って、以下、これらを纏めて“吸湿・柔軟付与剤”と言うことがある）」（段落【００１６】の抜粋）
ａ−７．「また、本発明の繊維ウェブにおいては、上記の吸湿・柔軟性等付与剤のほかに、必要に応じて、流動パラフィン，スクワラン等の炭化水素類、オリーブ油，ツバキ油，ヒマシ油，大豆油等の植物油、ミツロウ，カルナウバロウ，ラノリン等のロウ類、及びセタノール，ステアリルアルコール，オレイルアルコール等の高級アルコール類を平滑感、手触り感の向上のために含有することができる。この油類の含有量は、余り少な過ぎても含有効果が生じず、逆に余り多過ぎても肌触り感が減じるため、本発明の繊維ウェブでは、このウェブの重量に対して、０．１〜３０重量％とすることが好ましい。」（段落【００１８】）
ａ−８．「そして、これらの油類と上記の吸湿・柔軟性等付与剤、あるいは後述する他の配合剤との混合状態を均一にするためと、疎水性物質の含有により生じるであろう吸水性の低下を補うために、ショ糖脂肪酸エステル，ソルビタン脂肪酸エステル，グリセリン脂肪酸エステル，ポリオキシエチレンラノリンアルコールエーテル，ポリオキシエチレンアルキルエーテル，ポリオキシエチレン脂肪酸エステル等の非イオン系界面活性剤、脂肪酸塩、アルキルベンゼンスルホン酸塩、ポリオキシエチレンアルキルエーテル硫酸塩等の陰イオン系界面活性剤等の界面活性剤を、必要に応じて、適量配合することができる。」（段落【００１９】）
ａ−９．「加えて、本発明の繊維ウェブでは、ソルビン酸，・・・・・パラオキシ安息香酸イソプロピル等の防腐防かび剤、前述の従来の柔軟剤をも、適量配合して使用することができる。」（段落【００２０】）
ａ−１０．「以上の本発明の繊維ウェブを製造するには、繊維ウエブの抄造中に・・・・付与剤を含浸させるか、繊維ウェブを抄造し乾燥した後、このウェブに上記の吸湿・柔軟性等付与剤を含浸する外添法が採用される。外添を乾燥後に行なう場合は、繊維ウェブを抄造した後に、（例えば、加工装置上で）ウェブに吸湿・柔軟性等付与剤の溶液をスプレーしたり、ウェブをこの溶液中に浸漬したり、印刷機によりウェブに印刷する等により、所要量を含浸させればよい。」（段落【００２１】〜【００２２】）
ａ−１１．「【実施例】１）繊維ウェブとして紙を使用した例：　坪量が１３．０ｇ／ｍ２で、縦２００ｍｍ、横２２５ｍｍのティシュペーパー（河野製紙（株）製商品名“ホワイトティシュ”２００組ボックス入りを使用）の１組（２枚重ね）の両面に、表１に示す本発明の吸湿・柔軟性等付与剤（単独の溶液または混合したものの溶液）を、このティシュペーパー１組（２６．０ｇ／ｍ２、これを１００重量％とする）に対し表１に示す量になるように、ハンドスプレーで均一に噴霧し、湿潤させた後、全自動定温恒温器により８０±２℃で１時間乾燥させた。」（段落【００２６】）
ａ−１２．表１には、実施例Ｎｏ．８〜１１及び１３として、グリセリン：流動パラフィンについてみると、重量％が「１．５：１．０」、「４．０：４．０」の組み合わせが示されている。
ｂ．甲第２号証には、柔軟性を有する繊維ウェブ及びその製造法に関して、以下の記載がなされている。
ｂ−１．「【請求項１】　水溶性多価アルコール２０．０〜９０．０重量％、流動パラフィン又は／および高級アルコール、スクワレン、ラノリン、オリーブ油、ミリスチン酸エチル、蜜蝋の１種又は２種以上の配合物を１．０〜１５．０重量％、非イオン界面活性剤又は／およびアニオン界面活性剤を０．１〜５．０重量％を配合することを特徴とする柔軟性を有する繊維ウェブ及びその製造法。」（特許請求の範囲請求項１）
ｂ−２．「本発明は、紙ならびに不織布などの繊維ウェブに柔軟性及び保湿性を与える水溶性多価アルコール、糖類、流動パラフィン、高級アルコール、スクワレン、スクワラン、ラノリン、オリーブ油、脂肪酸エステルおよび界面活性剤などの配合組成物を加工に際し、特に水を使用しないで乾燥状態の繊維ウェブにロールコートなどにより直接処理する製造法に関する。」（段落【０００１】の抜粋）
ｂ−３．「本発明に使用する水溶性多価アルコール類は、分子量１５０〜８０００を有するポリエチレングリコール、分子量１５０〜７０００のポリプロピレングリコールこの他、ブルロニック型であるコポリマー多価アルコール類が主に使用される。これらポリアルキレングリコール類の主な目的は、皮膚えの柔軟性と保湿性および栄養源とすることが大きな役割を果たすものである。」（段落【００１０】）
ｂ−４．「また、界面活性剤としては非イオン界面活性剤、アニオン界面活性剤で浸透性あるいは乳化分散補助剤として使用する。使用量は処方成分の配合量は０．１〜５．０％である。
　非イオン界面活性剤は、グループ別に分けるとエーテル型例えば、・・・・、ポリオキシエチレン・ポリオキシプロピレンブロックポリマーなどである。
　エーテルエステル型としては例えば、・・・・・ソルビトール脂肪酸エステル・ポリオキシエチレンエーテルなどである。
　その他エステル型としては・・・・・ポリグリセリン脂肪酸エステル・・・・・などのほか含窒素型のものもある。
　アニオン界面活性剤としては、例えばオレイン酸ナトリウム塩、ステアリン酸ナトリウム塩、パルミチン酸カリウム塩、ステアリン酸トリエタノールアミン塩そのほか各種高級脂肪酸トリエタノールアミン塩などが使用される。この界面活性剤は一種または二種以上組み合わせて使用することができる。」（段落【００１６】〜【００２０】）
ｂ−５．「鉱物油としては、低粘度流動パラフィン又は高粘度流動パラフィンおよびこれらの適宜配合品並びにスクワレン、スクワラン、ラノリン、オリーブ油、ミリスチン酸エチル、蜜蝋及び脂肪属高級アルコールを平滑剤、保湿剤として使用することができる」（段落【００２１】の抜粋）
ｂ−６．「以上の如く本発明の柔軟性を有する繊維ウェブは、製造時に加工薬剤に水を全く使用しないで、加工薬剤そのままをロールコートなどよって繊維ウェブに加工するので、普通の耐水性のあるテッシュペーパーに加工できるのは勿論、トイレットペーパーの様に水中で崩壊する繊維ウェブにも紙質を損なうことなく容易に加工することができる。」（段落【００３６】）
ｃ．甲第３号証には、柔軟性ティシュペーパーに関して、次の記載がなされている。
ｃ−１．「【請求項１】坪量１０〜６０ｇ／ｍ２のティシュペーパーであって、グリセリン部分の重合度が１５以下で脂肪酸部分がＣ８〜Ｃ２４であり、かつエステル化度が３モル以下のポリグリセリン脂肪酸エステルを乾燥繊維重量当り０．０５〜５％含むことを特徴とする柔軟性ティシュペーパー。
　【請求項２】請求項１記載のポリグリセリン脂肪酸エステルとＣ３〜Ｃ１５の多価アルコール又はＣ３〜Ｃ１５の多価アルコールのアルキレンオキサイド付加物のうちいずれか少なくとも１種を乾燥繊維重量当り合計　０．１〜１０％含むことを特徴とする柔軟性ティシュペーパー。」（特許請求の範囲請求項１、２）
ｃ−２．「本発明は、皮膚に直接接触して使用する、より柔らかで肌に優しいフェイシャルティシューやトイレットペーパー等のティシュペーパーに関する。」（段落【０００１】）
ｃ−３．「本発明者らは、上記課題を解決すベく鋭意研究の結果坪量１０〜６０ｇ／ｍ２のティシュペーパーにおいて特定の（１）ポリグリセリン脂肪酸エステルを単独で又は特定の多価アルコール又はそのアルキレンオキサイド付加物と組合わせて付与することにより、従来の抄紙工程で得られるティシュウェブをよりしなやかでかつ滑らかにすることができることを見出し本発明をなすに至った。」（段落【０００５】の抜粋）
ｃ−４．「本発明ではこれをティシュウェブ表面に塗布することによってウェブ表面が平滑になると同時に、ウェブ全体がしなやかになり更に軽いしっとり感を与えることができた。」（段落【０００８】）
ｃ−５．「次に上記（１）ポリグリセリン脂肪酸エステルに更に（２）Ｃ３〜Ｃ１５の多価アルコール、又はそのアルキレンオキサイド付加物の少なくとも１種類以上を乾燥繊維重量当り合計０．１〜１０％含ませたものである。これは湿潤性効果をより強調し、しっとりした風合いを強化しようとするものである。目的とする風合いによりた使用する薬剤の種類によって（１）と（２）の調合比率は異なるが、およその目安として（１）に対して（２）の調合比率は重量比で５０〜１５０　％の範囲が望ましい。」（段落【０００９】）
ｃ−６．「付与する方法はウェブ形成後望ましくは乾燥繊維重量９０％以上の状態で上記薬剤を水溶液にしスプレーによりウェブに塗布するか、コーターで塗布するか、グラビア又はフレキソ印刷で塗工するか等がある。」（段落【００１２】の抜粋）
ｄ．甲第４号証には、紙用柔軟剤に関して、以下の記載がなされている。
ｄ−１．「【請求項１】ピロリドンカルボン酸もしくはその塩及び／又は下記の式(Ｉ)で表されるベタインを１〜１００重量％含有する紙用柔軟剤。（化学構造式の記載は省略）」（特許請求の範囲請求項１）
ｄ−２．「本発明は、トイレットペーパー、ちり紙、フェイシャルティッシュ、京花紙、ペーパーナプキン、ペーパータオル、ワイパー、生理用紙、おむつ用紙等のような衛生薄葉紙に柔軟性や弾力性（ふっくら感）を付与する紙用柔軟剤に関する。」（段落【０００１】）
ｄ−３．「本発明者らは上記課題を解決すべく鋭意研究した結果、ピロリドンカルボン酸もしくはその塩及び／又は特定のベタインが、紙に柔軟性のみならず保湿性をも付与できることを見出し、本発明を完成するに至った。」（段落【０００６】）
ｄ−４．「本発明の紙用柔軟剤の使用方法は、抄紙時のパルプスラリーに直接添加する方法や、或いは、５〜１０００倍に水で希釈して処理液を調整し、・・・・・湿紙を得るワイヤーパート、・・・・プレスパート、・・・・・ドライパート、或いは・・・・・塗工パート、・・・・・等の何れかの工程において、含浸機により含浸することも、噴霧機によりスプレーすることも、塗工機により塗布することも可能である。いずれの場合にも、柔軟性の添加量（固形分）は、パルプまたは紙に対して０．０１〜１０重量％、好ましくは０．０１〜５重量％である。」（段落【００１２】の抜粋）
ｅ．甲第５号証には、ティシュペーパーの坪量は１２．５ｇ／ｍ２以上であること、坪量の測定はＪＩＳ　Ｐ　８１２４によることが記載されている。
ｆ．甲第６号証には、トイレットペーパーの坪量は１８ｇ／ｍ２以上であることが記載されている。
ｇ．甲第７号証には、市販ティシュペーパー（製品名「やわらかティッシュ」、「エリカＥ」、「ティシュ岡山市民」）の水分率は、７．１〜７．３％であったことが示されている。
ｈ．甲第８号証には、紙及び板紙の水分試験方法について、水分は、Ｍ＝（Ｌ１−Ｌ２）／（Ｓ）×１００（ここに　Ｍ：水分（％）、Ｓ：試験片の質量（ｇ）、Ｌ１：乾燥前の質量（ｇ）、Ｌ２：乾燥後の質量（ｇ））で算出し、ＪＩＳ　Ｚ　８４０１（数値の丸め方）によって小数点以下１けたに丸めることが記載されている。
ｉ．甲第９号証には、ベタインについて、「ベタインは一つの分子中に陽イオンとして第四アンモニウムと、酸特にカルボン酸の陰イオンをもった分子内塩に対する一般名である。・・・・水化物もベタインといわれたことがある。グリシンを完全にＮ−メチル化した（ＯＨ）−（ＣＨ３）３Ｎ＋ＣＨ２ＣＯＯＨまたは（ＣＨ３）３Ｎ＋ＣＨ２ＣＯＯ−が、サトウダイコンの汁中に含まれるのでこの名がある。したがって狭義にはグリシンベタインをさす」と記載されている。
ｊ．甲第１０号証には、柔軟性ティシュペーパー及びその製造方法に関して、以下の記載がなされている。
ｊ−１．「【請求項１】坪量１０〜６０ｇ／ｍ２のティシュペーパーであって（１）Ｃ８〜Ｃ２４の脂肪族アルキル基、アルケニル基又はアシル基のいずれか少なくとも１つを含む第４級アンモニウム塩、Ｃ８〜Ｃ２４の脂肪族アルキル基、アルケニル基、又はアシル基のいずれか少なくとも１つを含むアミン塩あるいはＣ８〜Ｃ２４の脂肪族アルキル基、アルケニル基又はアシル基のいずれか少なくとも１つを含むアミンのうちいずれか少なくとも１種及び（２）Ｃ３〜Ｃ１５の多価アルコール又はＣ３〜Ｃ１５の多価アルコールのポリオキシアルキレン付加物のいずれか少なくとも１種とを乾燥繊維あたり　０．１〜１０重量％含むことを特徴とする柔軟性ティシュペーパー。
【請求項２】請求項１に示す薬剤を含む薬液をウェブの水分率が２０％以下の状態でスプレー、コーター、グラビア印刷、フレキソ印刷又はシルク印刷によりウェブに塗布することを特徴とする柔軟性ティシュペーパーの製造方法。
【請求項３】絶対粘度が２０ｍＰａ．Ｓ（２０ｃｐｓ）以下の薬液をスプレーによりウェブに塗布することを特徴とする請求項２記載の柔軟性ティシュペーパーの製造方法。
【請求項４】コーター、グラビア印刷、フレキソ印刷又はシルク印刷に用いる薬液の絶対粘度が２５℃で２００ｍＰａ．Ｓ（２００ｃｐｓ）以下であることを特徴とする請求項２記載の柔軟性ティシュペーパーの製造方法。」（特許請求の範囲請求項１〜４）
ｊ−２．「本発明は、皮膚に直接接触して使用する、より柔らかで肌に優しいフェイシャルティシューやトイレットペーパー等のティシュペーパーに関する。」（段落【０００１】）
ｊ−３．「本発明による柔軟性ティシュペーパーは従来のティシュウェブ１０〜６０ｇ／ｍ２の抄紙工程において水分率２０％以下のウェブ形成後例えばヤンキードライヤーで乾燥処理した直後からリールに巻取るまでの間に特定の薬剤を付与するか、またはリールに巻き取った後の乾燥ウェブに別工程で薬剤を付与する方法で有利に得られる。」（段落【０００７】）
ｊ−３．「以上に示す薬剤のうち（１）はウェブ表面に付着し、繊維表面を平滑にする働きがある。また（１）の薬剤は、カチオン性を呈しているので、ウェブの水分が高い状態で付与すると、繊維間結合が阻害され易く、ウェブ強度が著しく低下する。従ってウェブ強度が確保される乾燥繊維重量が８０重量％をこえた段階で付与するのが良い。薬剤の平滑作用は、アルキル基や、アルケニル基等の油性基部分が関与している。（２）の薬剤は蒸気圧の低い液状又はペースト状物で、常温では、ウェブに湿潤感（ウェット感）即ちしっとりした感触と繊維にしなやかさを与える。」（段落【００１３】）
ｋ．甲第１１号証には、「柔軟剤［ｓｏｆｔｎｅｒ］【概説】紙あるいは不織布に柔軟性を与えるための薬品。柔軟化するためにはセルロース繊維の水素結合を封鎖して繊維間のずれを促進させることが必要である。・・・・柔軟剤として用いられる薬品は広範囲にわたっている。その代表的なものは界面活性剤であるが、ワックス系、シリコーン系、ウレタン樹脂系の高分子あるいは繊維の親水基と反応してこれを封鎖する反応性柔軟剤ものある。」（第１１０頁右欄下から第３行〜第１１１頁左欄第７行）
ｌ．甲第１２号証には、シリコーン油について、「シリコーンは・・・・液状のものからゴム状、さらには樹脂状にもなる。このなかで、比較的重合度の低い油状の直鎖状ジメチルシロキサンをシリコーン油という。」と記載されている。
４．当審の判断
４−１．本件請求項１に係る発明について
　甲第１号証の実施例Ｎｏ．８〜１１、１３には、繊維ウエブ（坪量が１３．０ｇ／ｍ２のティシュペーパーの一組（２枚重ね）（２６ｇ／ｍ２、これを１００重量％とする）に対して、表１に示す量になるように、「吸湿性を有する多価アルコールとしてのグリセリンと平滑感、手触り感の向上のために含有させる流動パラフィンを含有した吸湿・柔軟性等付与剤（混合したものの溶液、グリセリン：流動パラフィン＝１．５：１．０、４．０：４．０）を付与した、高水分含有性を有する繊維ウエブが、具体的に記載されている。
　本件請求項１に係る発明と甲第１号証の高水分含有性を有する繊維ウエブを対比すると、甲第１号証における、「吸湿性を有する多価アルコールとしてのグリセリン」と「平滑感、手触り感の向上のために含有させる流動パラフィン」は、本件請求項１に係る発明における、「親水性成分」及び「親油性成分の鉱物油」にそれぞれ対応し、その含有割合も一致するが、（イ）親水性成分として、請求項１に係る発明では、「ベタイン構造物」が特定されているのに対して、甲第１号証では、ベタイン構造物の開示がない点、（ロ）吸湿・柔軟性等付与剤を付与するウエブの水分量について、請求項１に係る発明では、「水分２０％以下」と特定がされているのに対して、水分量の記載がない点で相違すると認められる。
　相違点（イ）について検討すると、甲第１号証の高水分含有性を有する繊維ウエブでは、吸湿性を有する物質である「多価アルコール」の同等物として記載されているのは、「吸湿性を有する塩類としては、塩化ナトリウム、塩化カルシウム、ピロリン酸カリウム、メタリン酸カリウム、ポリリン酸カリウム、ポリリン酸ナトリム等」、「吸湿性を有する糖類としては、Ｄ−ソルビット、マルチトール、還元麦芽糖水飴、還元澱粉加水分解物等」であって、ベタイン構造物のグリシンベタイン、γ−ブチロベタインについては一切記載されていない。
　また、甲第１号証の段落００２０には、「従来の柔軟剤をも、適量配合することができる」と記載され、段落０００５に「界面活性剤、ワックスエマルジョン、反応型柔軟剤（セルロースと強固に反応して、脂肪族ハイドロカーボンを規則正しく繊維の周囲に配向させるもの）」と記載されているが、柔軟剤が吸湿性作用を有する物質の同等物となり得るとの記載は認められない。
　そうすると、甲第１号証に記載された発明において必須とされている、吸湿性を有する物質としての「多価アルコール」を、紙用柔軟剤としての化合物に換えることには、阻害要因があると認められる。
　したがって、式（Ｉ）で表されるグリシンベタインをティシュペーパーなどの紙用柔軟剤とすることが甲第４号証に記載されているとしても、上記したように、甲第１号証の吸湿性を有する物質としての「多価アルコール」を、甲第４号証の紙用柔軟剤としての式（Ｉ）で表されるグリシンベタインに換えるには、阻害要因があるから、上記相違点（ロ）について検討するまでもなく、本件請求項１に係る発明は、甲第１〜８号証及び甲第１０号証に記載された発明に基づいて、当業者が容易に発明することができたとは認められない。
４−２．本件請求項２に係る発明について
　本件請求項２に係る発明は、本件請求項１に係る発明のティシュペーパー、トイレットペーパーまたは紙タオルにおいて、「品質改良剤が（１）親油性成分として植物油、動物油、鉱物油もしくは合成油から選ばれる１種または２種以上の成分と、（２）親水性成分としてベタイン構造物の１種または２種以上の成分と、（３）Ｃ８〜Ｃ２４の脂肪族基を有するポリグリセリン脂肪酸エステル、Ｃ８〜Ｃ２４の脂肪族基を有するアンモニウム塩もしくはアミン塩から選ばれる１種または２種以上の成分を重量組成比で（１）＋（３）：（２）＝１：１／２〜３／２の範囲で含むものである」ことを特定するものである。換言すると、本件請求項１に係る発明における品質改良剤の成分に、第三の成分として、Ｃ８〜Ｃ２４の脂肪族基を有するポリグリセリン脂肪酸エステル、Ｃ８〜Ｃ２４の脂肪族基を有するアンモニウム塩もしくはアミン塩から選ばれる１種または２種以上の成分を、更に含有させ、重量組成比で親油性成分＋第三の成分：親水性成分＝１：１／２〜３／２の範囲で含むことを特定するものである。
  本件請求項２に係る発明と甲第１号証の高水分含有性を有する繊維ウエブを対比すると、甲第１号証の高水分含有性を有する繊維ウエブにおける、「吸湿性を有する多価アルコールとしてのグリセリン」と「平滑感、手触り感の向上のために含有させる流動パラフィン」は、本件請求項２に係る発明における、「親水性成分」及び「親油性成分の鉱物油」にそれぞれ対応するが、
（イ）親水性成分として、本件請求項２に係る発明では、「ベタイン構造物」が特定されているのに対して、甲第１号証では、ベタイン構造物は開示がない点、
（ロ）吸湿・柔軟性等付与剤を付与するウエブの水分量について、本件請求項２に係る発明では、「水分２０％以下」と特定がされているのに対して、甲第１号証では水分量の記載がない点、
（ハ）第三の成分として、本件請求項２に係る発明では、Ｃ８〜Ｃ２４の脂肪族基を有するポリグリセリン脂肪酸エステル、Ｃ８〜Ｃ２４の脂肪族基を有するアンモニウム塩もしくはアミン塩から選ばれる１種または２種以上の成分の含有が特定されると共に、各成分の重量組成比について、重量組成比で（親油性成分＋第３の成分）：（親水性成分）＝１：１／２〜３／２の範囲と特定しているのに対して、甲第１号証では、そのよう第三の成分としての化合物を記載していない点、で相違すると認められる。
　上記相違点（イ）は、「４−１．本件請求項１に係る発明について」における相違点（イ）と共通するから、「４−１．本件請求項１に係る発明について」で述べたのと同様の理由により、「ベタイン構造物のグリシンベタイン、γ−ブチロベタインなど」を用いることは、甲第１〜８号証及び甲第１０号証に記載された発明に基づいて当業者が容易に発明することができたとは認められない。
　したがって、本件請求項２に係る発明は、上記相違点（ロ）及び（ハ）について検討するまでもなく、甲第１〜８号証及び甲第１０号証に記載された発明に基づいて、当業者が容易に発明することができたとは認められない。
４−３．本件請求項３に係る発明について
　本件請求項３に係る発明は、請求項１または２記載の「ティシュペーパー、トイレットペーパーまたは紙タオル」において、親油性成分を限定するものであるが、本件請求項１または２に係る発明は、上記「４−２．本件請求項２に係る発明について」及び「４−３．本件請求項３に係る発明について」で述べたように、甲第１〜８号証及び甲第１０号証に記載された発明に基づいて当業者が容易に発明することができたとは認められないから、甲第１号証に平滑感、手触り感の向上のため、流動パラフィン、スクワラン等の炭化水素類が、甲第２号証に、平滑剤、保湿剤として、パラフィン、スクワラン、ミリスチン酸エチルが、甲第１１号証及び甲第１２号証に、柔軟剤として、シリコーン系化合物のジメチルポリシロキサンのシリコーン油が記載されていても、本件請求項３に係る発明は、甲第１〜８号証及び、甲第１０号証〜甲第１２号証に記載された発明に基づいて当業者が容易に発明することができたとは認められない。
４−４．本件請求項４に係る発明について
　本件請求項４に係る発明は、請求項１〜３記載の「ティシュペーパー、トイレットペーパーまたは紙タオル」において、親水性成分としての「ベタイン構造物」を限定するものであるが、本件請求項１〜３のいずれか１項に係る発明は、上記「４−１．本件請求項１に係る発明について」、「４−２．本件請求項２に係る発明について」及び「４−３．本件請求項３に係る発明について」で述べたように、甲第１〜８号証及び甲第１０号証〜甲第１２号証に記載された発明に基づいて当業者が容易に発明することができたとは認められないから、甲第４号証に柔軟剤として、化学式（Ｉ）で示される化合物のグリシンベタインが記載されていても、本件請求項４に係る発明は、甲第１〜８号証及び甲第１０号証〜甲第１２号証に記載された発明に基づいて当業者が容易に発明することができたとは認められない。
４−５．本件請求項５に係る発明について
　本件請求項５に係る発明は、請求項１記載の品質改良剤の水溶解液を用いて、水分率が２０％以下に薄葉紙ウェブに塗布する、ティシュペーパー、トイレットペーパーまたは紙タオルの製造方法であるが、上記「４−１．本件請求項１に係る発明について」で述べたように、請求項１記載のティシュペーパー、トイレットペーパーまたは紙タオルにおける品質改良剤は、甲第１〜８号証及び甲第１０号証に記載された発明に基づいて当業者が容易に発明することができたとは認められないから、本件請求項５に係る発明は、甲第１〜８号証及び甲第１０号証に記載された発明に基づいて当業者が容易に発明することができたとは認められない。
４−６．本件請求項６に係る発明について
　本件請求項６に係る発明は、本件請求項５記載のティシュペーパー、トイレットペーパーまたは紙タオルの製造方法において、品質改良剤の溶解液を塗布するウェブついて、「一時性湿潤紙力増強剤を含ませること」を特定するものであるが、上記「４−５．本件請求項５に係る発明について」で述べたように、本件請求項５に係る発明は、甲第１〜８号証及び甲第１０号証に記載された発明に基づいて当業者が容易に発明することができたとは認められないから、本件請求項６に係る発明は、甲第１〜８号証及び甲第１０号証に記載された発明に基づいて当業者が容易に発明することができたとは認められない。
Ｖ．むすび
　以上のとおりであるから、本件請求項１〜６に係る特許は、特許異議申立の理由及び提示された証拠方法によっては、取り消すことはできない。
　また、他に本件請求項１〜６に係る特許を取り消すべき理由を発見しない。
　よって、結論のとおり決定する。
【異議決定日】
平成１７年２月１８日（２００５．２．１８）
【訂正の要旨】
審決（決定）の【理由】欄参照。
（５４）【発明の名称】
薄葉紙の品質改良剤及びそれを用いた柔軟性薄葉紙、並びにその製造方法
（５７）【特許請求の範囲】
　【請求項１】　▲１▼親油性成分として植物油、動物油、鉱物油もしくは合成油から選ばれる１種または２種以上の成分と、▲２▼親水性成分としてベタイン構造物を重量組成比率で▲１▼：▲２▼＝１：１／２〜５／２の範囲で含む品質改良剤の水溶解液を水分２０％以下の薄葉紙ウェブに塗布し、秤量１０〜４０ｇ／ｍ２の薄葉紙ウェブに該薄葉紙ウェブの乾燥重量に対して上記の品質改良剤を０．１〜１０重量％含有させたことを特徴とするしなやかさ、しっとり感および平滑感を有するティシュペーパー、トイレットペーパーまたは紙タオル。
　【請求項２】　品質改良剤が▲１▼親油性成分として植物油、動物油、鉱物油もしくは合成油から選ばれる１種または２種以上の成分と、▲２▼親水性成分としてベタイン構造物と、▲３▼Ｃ８〜Ｃ２４の脂肪族基を有するポリグリセリン脂肪酸エステル、Ｃ８〜Ｃ２４の脂肪族基を有するアンモニウム塩もしくはアミン塩から選ばれる１種または２種以上の成分を重量組成比で▲１▼＋▲３▼：▲２▼＝１：１／２〜３／２の範囲で含むものである請求項１記載のしなやかさ、しっとり感および平滑感を有するティシュペーパー、トイレットペーパーまたは紙タオル。
　【請求項３】　親油性成分がホホバ油、スクワラン、パラフィン、シリコーン油、ミリスチン酸エステル、または数平均分子量が３００から２０００のポリオブテンである請求項１または２記載のティシュペーパー、トイレットペーパーまたは紙タオル。
　【請求項４】　ベタイン構造物がグリシンベタインまたはγ−ブチロベタインである請求項１から３までのいずれか１項記載のティシュペーパー、トイレットペーパーまたは紙タオル。
　【請求項５】　請求項１記載の品質改良剤の水溶解液を粘度２０ｍＰａ．ｓ（２０ｃｐｓ）以下にして、抄紙工程のウェブ形成後の水分率が２０％以下の薄葉紙ウェブにスプレー塗布するか、あるいは品質改良剤の水溶解液を粘度２００ｍＰａ．ｓ（２０００ｃｐｓ）以下にして、予め抄紙機で抄造したウェブに二次工程でコーターまたは印刷機により塗布することを特徴とするティシュペーパー、トイレットペーパーまたは紙タオルの製造方法。
　【請求項６】　品質改良剤の溶解液を塗布するウェブに一時性湿潤紙力増強剤を含ませることを特徴とする請求項５記載のトイレットペーパーの製造方法。
【発明の詳細な説明】
　【０００１】
　【発明の属する技術分野】
　本発明は、皮膚に直接接触して使用する、より柔らかで肌に優しいフェイシャルティシューやトイレットペーパー等の薄葉紙の品質改良剤とそれを用いた柔軟性薄葉紙、並びにその製造方法に関する。
　【０００２】
　【従来の技術】
　皮膚に接触して用いられるティシュペーパーにはフェイシャルティシュー、トレットペーパーや紙タオル等があり柔らかいものが一般に好ましい。これらの紙は一般に坪量１０〜４０ｇ／ｍ２のクレープ紙である。即ち、物理的に紙を薄くし、クレープ（しわ付け）処理することにより柔軟にしたものである。ウェブ全体としては柔軟になるがウェブの表面、さらには、表面に露出している繊維はなんら処理されないために繊維固有のザラツキが残る。このザラツキは特にクレープ処理の波頭部分で触感される。
　【０００３】
　これを改善する方法として表面にカレンダー処理する技術が知られている（特開平５−７６４６４号公報）が、かさが低下しボリュウム感が損なわれる。また界面活性剤を抄紙等にパルプ原料に混ぜてウェブを形成する方法も知られている（米国特許第３８４４８８０号）。しかし、これは繊維の結合を阻止して柔らかなウェブを得ようとするもので紙力低下が著しい欠点がある。またウェブに吸湿剤を加えて柔らかくする方法が開示されている（特開平５−１５６５９６号公報）。しかし、吸湿性が夏季の高湿期と冬の乾期とで著しく異なるために強度及び風合い等の紙質に大きな変化が生じる欠点がある。またこれに開示されている薬剤の塗布方法（スプレー、コーター、印刷等）では湿潤紙力のないウェブ、例えばトイレットペーパーには水系の薬液の適用がウェブの破断を招き易く困難であった。
　【０００４】
　そこで湿潤紙力のないウェブであるトイレットペーパーには水系の薬液ではなく紙匹強度に影響の少ない油性成分を塗布または含浸処理する例が特公昭６２−４５２０４号、特公昭６３−７５２４号、特開昭６２−８７１１７号に開示されている。しかし、これらの方法では使用成分が油性成分に限られており、皮膚への接触使用に際しどうしても油性のベタツキ感が残り、また水洗トイレでの分散悪化等の弊害が生じやすい。
　【０００５】
　【課題を解決するための手段】
　本発明者らは上記課題を解決すべく鋭意研究の結果、坪量１０〜４０ｇ／ｍ２の薄葉紙に、親油性成分と、親水性成分であるベタイン構造物もしくは多価アルコール及び／又は特定の脂肪族基を有するポリグリセリンエステル化物、アンモニウム塩もしくはアミン塩のうち少なくとも１種類からなる薬剤を付与することにより従来の抄紙工程で得られるウェブをより滑らかでかつしなやかにすることができた。更に水洗トイレ紙のような湿潤紙力のないウェブにも水系の薬液を容易に塗布する方法を見いだし、従来の油性成分の塗布だけでは得られなかったベタツキ感のない、水洗奔流に全く弊害のないウェブを得ることができた。
　即ち、本発明の柔軟性薄葉紙はウェブ形成後上述の特定薬剤を乾燥繊維あたり０．１〜１０重量％付与することにより得られる。以下に詳細を述べる。
　【０００６】
　本発明による柔軟性薄葉紙は従来の薄葉紙ウェブ１０〜４０ｇ／ｍ２の抄紙工程において水分率２０％以下のウェブ形成後例えばヤンキードライヤーで乾燥処理した直後からリールに巻取るまでの間に特定の薬剤を付与するかまたはリールに巻取った後の乾燥ウェブに別の工程で薬剤を付与する方法で有利に得らえる。
　【０００７】
　即ち、本発明の柔軟性薄葉紙は、坪量１０〜４０ｇ／ｍ２の薄葉紙ウェブにその乾燥繊維重量の０．１〜１０重量％の以下のいずれかの薬剤を付与することで得られるものである。
　【０００８】
（１）▲１▼親油性成分として植物油、動物油、鉱物油もしくは合成油から選ぶ１種または２種以上の成分と、▲２▼親水性成分として多価アルコールもしくはベタイン構造物のうち少なくても１種以上の成分からなる薬剤。これに用いられる親油性成分は例えば植物油ではホホバ油、動物油ではスクラワン、鉱物油ではパラフィン油、合成油ではシリコーン油やミリスチン酸エステル（例：ミリスチン酸イソトリデシル）、ポリブテンがある。親水性成分であるベタイン構造物にはグリシンベタイン、γ−ブチロベタイン、ジメチルアルキルベタイン、ジメチルアミドベタイン等があり、多価アルコールにはグリセリンやプロピレングリコール等がある。
　【０００９】
（２）前記▲１▼の親油性成分と、第三成分▲３▼Ｃ８〜Ｃ２４の脂肪族基を有するポリグリセリン脂肪酸エステルまたはＣ８〜Ｃ２４の脂肪族基を有するアンモニウム塩もしくはアミン塩のうち少なくとも１種類とから構成される成分とからなる薬剤。この薬剤によっても本発明の柔軟性薄葉紙は得らえる。尚、ここで言う脂肪族基とは、直鎖状およびその側鎖も含む炭化水素基全てを言う。
　【００１０】
（３）前記▲１▼の親油性成分と、前記▲２▼の親水性成分と、前記▲３▼の第三成分とを組み合わせて得られる薬剤。この薬剤によっても本発明の柔軟性薄葉紙は得られる。
　【００１１】
　上記親油性成分▲１▼は主にウェブにしなやかさを与え、親水性成分▲２▼はウェブに湿潤感、即ちしっとり感を与える。第三成分▲３▼は平滑剤として作用しウェブ表面の平滑性を改善する。
　【００１２】
　ここで用いる第三成分▲３▼のＣ８〜Ｃ２４の脂肪族基を有するポリグリセリン脂肪酸エステルはグリセリン重合度１５以下でエステル化度３モル以下のものが望ましい。これは易水溶解性で且つ吸水性を阻害しないからである。またＣ８〜Ｃ２４の脂肪族基を有するアンモニウム塩またはアミン塩には、アンモニウム塩にジオレイルジメチルアンモニウムクロライド、モノステアリルトリメチルアンモニウムクロライド、Ｎ−ポリオキシエチレンＮ，Ｎ−ジオレイルＮ−メチルアンモニウムクロライド、ジステアリルジメチルアンモニウムクロライド等、アミン塩にはヤシアルキルアミン塩酸塩、ステアラミドメチル第３アミン塩、アシルアミノエチルジエチルアミン塩がある。
　【００１３】
　また親水性成分▲２▼に示すベタイン構造物のうち特にグリシンベタイン、γ−ブチロベタインは極めて優れた水分保持効果をもち、従来の保湿剤である多価アルコールや糖類にみられる湿度変化に伴う保湿量の変動が極めて少ない特性がある。これによって湿度の変化に対しても安定した保湿性を有する薄葉紙が得られる。
　【００１４】
　ここで得られる前記（１）、（２）、（３）の薬剤を品質改良剤として使用した薄葉紙はいずれも特有の風合いを有し、（１）の品質改良剤の使用は一般にしなやかさとしっとり感を持つ。（２）の品質改良剤の使用はしなやかさと滑らかさが強い。（３）の品質改良剤の使用はしなやかさと滑らかさとしっとり感を持つ。これらは好みにより選択できる。またいずれの品質改良剤でも使用する薬品とその調合比率で前述の風合いにかなりの幅ができる。
　【００１５】
　また一般的傾向として、湿潤作用と平滑（又は滑らかさ）作用は効果が相反するので湿潤効果を強調し過ぎると平滑効果が後退することがある。そこで本品質改良剤により両者の特性が共に発現する前記構成成分▲１▼，▲２▼，▲３▼の調合比率は、重量組成比率で▲１▼＋▲３▼：▲２▼＝１：１／２〜３／２の範囲である。なお付与する量によって風合いが異なり、乾燥繊維あたり０．１重量％以上で効果が発現するが、望ましくは１重量％以上である。また１０重量％を超えるとウェブの風合いというよりも薬品の風合いが強くなり違和感が生じる。またウェブ強度も著しく低下する。
　【００１６】
　尚、上記組成は油性成分と親水性成分を混合した水溶液であり親油性成分はサイクロデキストリンで包接し水溶性とする。また乳化剤を用いて油性成分をエマルションとして水溶液化する方法もある。
　【００１７】
　本発明の柔軟性薄葉紙の製造方法は次の通りである。まず第一に抄紙工程のウェブ形成後の水分率が２０％以下の部分でウェブに上記品質改良剤の溶解液を直接スプレー塗布する方法がある。薬剤溶解液は粘度が２０ｍＰａ．Ｓ（２０ｃｐｓ）以下であることが望ましい。溶解液が水溶液である場合は塗布する液量で補助乾燥設備（例えばアフタードライヤーとして、多筒加熱ロール、フローター熱風乾燥設備や赤外線乾燥設備等）が必要である。リール巻取りでの水分は少なくとも１０％以下にすることが望ましい。
　【００１８】
　また、予め抄紙機で抄造したウェブに二次工程で上記品質改良剤を含む溶解液を塗布する方法がある。これにはコーターまたは印刷機による方式がある。コーターや、グラビヤ印刷による場合には、グラビヤロールの溝深さや線数を変えることによりまたフレキソ印刷の場合はアニロックスロールの溝深さや線数や印刷パターンの形状を変えることにより、また品質改良剤の溶解液濃度を変えることにより塗布量を変えることができる。塗布ムラや塗布ロールへのウェブの付着などのトラブルを避ける意味で塗布する品質改良剤溶解液の粘度が２００ｍＰａ．Ｓ（２００ｃｐｓ）以下であることが望ましい。
　【００１９】
　また、前述の品質改良剤の溶解液が水溶液の場合で更に塗布するウェブが通常のトイレットペーパーのごとく湿潤紙力増強剤を含まない場合には、塗布時の水分の吸収によって著しい紙力低下をまねき紙切れ等のトラブルを起こし操業性が悪化する。これを避ける方法として塗布湿潤時の一時、即ち塗布直後から乾燥工程に至るまでの数秒から数十秒間は湿潤強度を維持し一定時間経過後は湿潤強度を失う一時性湿潤紙力増強剤をトイレットペーパーに用いて水系の薬液を塗布する方法を開発した。これが本発明の請求項（６）に示す方法である。
　【００２０】
　ここで、一時性湿潤紙力増強剤の効果を次のように定義する。ＪＩＳ−Ｓ３１０４ティッシュペーパーの規格試験方法による測定で湿潤直後の強度が湿潤前の強度の１０％以上であり湿潤後６０秒経過したときの強度が湿潤直後の湿潤強度に対して２０％以上低下するものとする。一時性湿潤紙力増強剤には、ポリアクリルアミド、グリオキザール・ポリアクリルアミド共重合物、ジアルデヒドスターチまたはカチオン変性デンプン等がある。一時性湿潤紙力増強剤の強度は高ければ高いほど良いが、一般に高すぎれば強度の損失にも時間を要するようになる。トイレットペーパーは、水溶解性が必須であり、およそ６０秒後には湿潤強度がある程度失われて離解し易い状態になる必要がある。
　【００２１】
　およその目安として例示すると、塗布に必要な湿潤タテ強度は５０ｇ／２５ｍｍ幅以上で、トイレ紙として水溶解性の支障となる湿潤タテ強度は上限が６０ｇ／２５ｍｍ幅である。従ってこの場合トイレ紙であって且つ塗布可能なウェブの湿潤強度範囲は５０〜６０ｇ／２５ｍｍと極めて狭い。これに一時性湿潤紙力増強剤を適用すると湿潤後６０秒経過の強度損失が２０％でも塗布可能なウェブの湿潤強度範囲が５０〜７２ｇ／２５ｍｍと拡がり、さらに強度損失が大きい場合はより湿潤強度の許容範囲が拡がりそれだけ塗布量も増やせ操業も容易になる。
　尚ここで言う粘度とはＢ型粘度計（東京計器製）による測定値である。
　【００２２】
　以上に示したように、親油性成分と、親水性成分であるベタイン構造物もしくは多価アルコール及び／又は特定の脂肪族基を有するポリグリセリンエステル化物、アンモニウム塩、アミン塩のうち少なくとも１種類とを組み合わせて得られる品質改良剤を適当量塗布して得たウェブは、表面がしっとりしなやかになりまた、平滑性も増すのでカゼや花粉アレルギー症等により刺激に過敏な時も快く使用できる。一方トイレットペーパーの場合は痔等により刺激に過敏なときに同様に皮膚に対する摩擦抵抗が少なく滑らかでしなやかなので快く使用できる。また、ウェブが一時性湿潤紙力増強剤を含む場合は使用時には水に強く使用後は水洗可能なティシュペーパー（フェイシャルティシュ、トイレットペーパー等）となる。
　【００２３】
　【実施例】
　次に本発明の実施例について説明する。
　【００２４】
　
実施例１〜１５
　針葉樹系繊維５０％、広葉樹系繊維５０％とからなり湿潤紙力増強剤として日本ＰＭＣ社のＷＳ−５７０を絶乾パルプ重量に対して０．２％含んだ坪量１５ｇ／ｍ２のティシュペーパーにおいて、乾燥パルプ重量に対して表１に示す百分率で表される重量の各薬剤を塗布した。塗布方法は１〜１０重量％相当濃度の水溶解液を調製しスプレー塗布後ドラムドライヤーで乾燥した。
　【００２５】
　【表１】
　Ａ：スクワラン　　乳化剤：α−サイクロデキストリン
　Ｂ：ホホバ油
　Ｃ：流動パラフィン
　Ｄ：アミノ変性シリコーン（アミノ％：０．９５）
　Ｅ：ミリスチン酸イソトリデシル
　Ｆ：ポリブテン（平均分子量：７８０）
　Ｇ：グリシンベタイン
　Ｈ：グリセリン
　Ｉ：デカグリセリンモノカプリレート
　Ｊ：ジメチルジセテアリルアンモニウムクロライド
　【００２６】
　
実施例１６〜１７
　針葉樹系繊維５０％、広葉樹系繊維５０％とからなり一時性湿潤紙力増強剤として住友化学製（６６１０）を絶乾パルプ重量に対して０．２％含んだ坪量１５ｇ／ｍ２のティシューにおいて各薬剤塗布量は、それぞれ実施例４及び８と同じとした。
　【００２７】
　
比較例１〜８
　実施例１に同じティシュペーパーにおいて同じ方法にて湿潤剤としてグリセリンもしくはソルビトールを、又は油性剤としてスクワランもしくは流動パラフィンを単独で表２に示す百分率の相当量塗布した。
　【００２８】
　【表２】
　【００２９】
　
比較例９
　実施例１に同じ原紙で薬剤処理しないもの。
　【００３０】
　以上のように得られたティシュペーパーについて、それぞれ引張強度、吸水度及びハレドフィール値について測定し、それらの結果を表３に示した。またティシュペーパーの溶解テスト結果について表４に示した。
　【００３１】
　【表３】
　【００３２】
なお表中の＊１，＊２及び＊３はそれぞれ次の説明を示す。
＊１：相対湿度３０％（冬季）及び８０％（夏季）を想定してデジケーターによる人工雰囲気調湿しＪＩＳ−Ｓ３１０４の方法で測定。（製品としてヨコ方向２ＰＬＹで測定）
＊２：ＪＩＳ−Ｓ３１０４の方法で測定。
＊３：ハンドフィール（５人のハンドフィール検査人の平均値）
　ＨＦＳ：平滑感の１０段階評価、数値が高い方が平滑感が高い
　ＨＦＷ：しっとり感の１０段階評価、数値が高い方がしっとり感が強い
　ＨＦＦ：しなやか感の１０段階評価、数値が高い方がしなやかさが大きい
　【００３３】
　【表４】
　＊１：ＪＩＳ−Ｐ４５０１の方法で測定。
　＊２：ＪＩＳ−Ｓ３１０４の方法で測定。但し、４ｐｌｙ（２５ｍｍ幅）で測定。水中浸漬時間を瞬間と６０秒とした。
　【００３４】
　【発明の効果】
　このように本発明によれば、ティシュペーパーやトイレットペーパーのような薄葉紙のしなやかさ、しっとり感及び平滑感等の肌への触感が改善され、使い心地のよい柔軟な薄葉紙が得られる等の効果を有する。